(57)【要約】      （修正有）【課題】円滑に操作できる打ち込み工具のマガジンにおける止め具送り装置を提供する。【解決手段】打ち込み工具のマガジンにおける止め具送り装置は、工具本体１０と、工具本体１０の片側に配置されるマガジン２０と、マガジン２０及び工具本体１０の間に配置されるガイドレール３０と、ガイドレール３０にスライド可能に連結され、引き部材４１、プッシャー４３及びリターンスプリング４５を含む送り機構４０と、渦巻バネ５０とを備え、引き部材４１はガイドレール３０回りに装着されると共に、パーティション部、枢支部及び収容部を有し、パーティション部とガイドレール３０の間に隙間が形成され、プッシャー４３は枢支部に枢接され、リターンスプリング４５はプッシャー４３をマガジン２０に向かって付勢し、渦巻バネ５０は収容部に収容されると共に、バネ先端がパーティション部とガイドレール３０の間の隙間を挿通してガイドレール３０に係止される。【選択図】図１
0003233613.tif 000002
【実用新案登録請求の範囲】
【請求項１】
打ち込み工具のマガジンにおける止め具送り装置であって、工具本体と、マガジンと、ガイドレールと、送り機構と、渦巻バネとを備え、
前記マガジンは、前記工具本体の片側に配置されるように、該工具本体に連結され、該マガジンと工具本体との間に離間スペースが形成され、
前記ガイドレールは、前記マガジンと工具本体との間の離間スペースに配置されるように、該マガジンに連結され、
前記送り機構は、前記ガイドレールにスライド可能に連結されると共に、引き部材、プッシャー及びリターンスプリングを含み、該引き部材は、該ガイドレール回りに装着されると共に、パーティション部、枢支部及び収容部を有し、該枢支部は、該パーティション部の前方側にあり、該収容部は、該パーティション部の後方側にあり、該パーティション部とガイドレールとの間に隙間が形成され、該プッシャーは、該枢支部に枢接され、該リターンスプリングは、該引き部材とプッシャーとの間に設置されるように、該プッシャーを該マガジンに向かって付勢し、
前記渦巻バネは、バネ本体とバネ先端とを有し、該バネ本体が前記引き部材の収容部に収容され、かつ前記パーティション部に当接しており、該バネ先端が、該パーティション部と前記ガイドレールとの間の隙間を挿通して、前記ガイドレールに係止されることを特徴とする打ち込み工具のマガジンにおける止め具送り装置。
【請求項２】
前記工具本体の後端にサポートプレートが設けられ、該サポートプレートの後端に係合部が形成され、
前記ガイドレールの後端に、後端から前端に向かって直線状に延びる係合溝が形成され、
該サポートプレートの係合部が、該ガイドレールの係合溝に嵌め込まれるように、該ガイドレールに係合されることを特徴とする請求項１に記載の打ち込み工具のマガジンにおける止め具送り装置。
【請求項３】
前記マガジンの後端が、前記サポートプレートに連結されることを特徴とする請求項２に記載の打ち込み工具のマガジンにおける止め具送り装置。
【請求項４】
前記ガイドレールは、該ガイドレールにおける前記マガジンに面する一側において、該ガイドレールの前端に近い領域に突き出しているピンを有し、
前記渦巻バネは、前記バネ先端に近い領域に連結孔が形成され、該連結孔が該ガイドレールのピンに掛合されることを特徴とする請求項３に記載の打ち込み工具のマガジンにおける止め具送り装置。
【請求項５】
前記引き部材の上下両側にそれぞれ、摘み部が突出するように形成されることを特徴とする請求項１から請求項４のいずれか１項に記載の打ち込み工具のマガジンにおける止め具送り装置。
【考案の詳細な説明】
【技術分野】
【０００１】
打ち込み工具に関し、特に、Ｃ型リングを取り扱うクリンチャーのマガジンにおけるＣリング送り機構に関するものである。
【背景技術】
【０００２】
図９に示すように、従来のＣ型リングクリンチャーのＣ型リング送り機構は、工具本体９１、マガジン９２、サイドプレート９１１、ガイドレール９１２、渦巻バネ９３及びＣリング送り部材を備え、該マガジン９２が、工具本体９１の片側に配置されるように、工具本体９１に連結され、該サイドプレート９１１は、該工具本体９１とマガジン９２との間に配置されるように、工具本体９１に連結され、該ガイドレール９１２は、該工具本体９１とマガジン９２との間に配置されるように、サイドプレート９１１に連結され、該ガイドレール９１２の前端に折り曲げ部が設けられ、該ガイドレール９１２は、該折り曲げ部を介して、該サイドプレート９１１に連結され、該Ｃリング送り部材９４は、ガイドレール９１２に沿ってスライド可能に、ガイドレール９１２回りに装着され、該渦巻バネ９３は、バネ本体９３１及びバネ先端９３２を有し、該バネ本体９３１がサイドプレート９１１に固設され、バネ先端９３２は、サイドプレート９１１から延出しつつ、Ｃリング送り部材９４に連結されるように構成されている。
【０００３】
使用する時は、Ｃリング送り部材９４を後ろに引き、自動的に渦巻バネ９３を引き出し、渦巻バネ９３のバネ先端９３２をバネ本体９３１から遠ざけ、渦巻バネ９３の復元力により、Ｃリング送り部材９４は、マガジン９２に装填されているＣ型リングを前方へ押し出す。
【０００４】
しかしながら、従来のＣ型リングクリンチャーのＣ型リング送り機構には、以下に示す欠点を有する。
【０００５】
その１、渦巻バネ９３が引き出される際に、渦巻バネ９３がマガジン９２とガイドレール９１２との間のスペースに露出していることから、渦巻バネ９３がマガジン９２に装填されているＣ型リングに接触する可能性があるので、Ｃリング送り部材９４がガイドレール９１２に沿ってスライドする時の円滑さに影響を与えてしまい、長期間にわたり、Ｃ型リング詰まりの発生に繋がるので、工具の耐用年数に影響を及ぼす虞があった。
【０００６】
その２、渦巻バネ９３のバネ本体９３１がガイドレール９１２前端のサイドプレート９１１に固設され、この構成によれば、該渦巻バネ９３のバネ先端９３２をＣリング送り部材９４の引き操作に伴いバネ本体９３１から離間させると、渦巻バネ９３がガイドレール９１２の折り曲げ部に自然に接触するので、渦巻バネ９３が引き出される時の円滑さや、Ｃリング送り部材９４がガイドレール９１２に沿ってスライドする時の円滑さに影響を与えてしまうとの問題があった。
【０００７】
その３、Ｃリング送り部材９４は、マガジン９２の側壁に向かって強固に当接することができず、不安定な状態となるので、Ｃ型リングが装填されている場合、Ｃリング送り部材９４の位置調整操作が困難であった。
【考案の概要】
【考案が解決しようとする課題】
【０００８】
本考案は、前記従来技術の欠点に鑑みてなされたものであり、使用時の円滑さ及び工具の耐用年数が向上する、打ち込み工具のマガジンにおける止め具送り装置を提供することを目的としている。
【課題を解決するための手段】
【０００９】
上記目的を達成するために、本考案は、打ち込み工具のマガジンにおける止め具送り装置であって、工具本体と、マガジンと、ガイドレールと、送り機構と、渦巻バネとを備え、
前記マガジンは、前記工具本体の片側に配置されるように、該工具本体に連結され、該マガジンと工具本体との間に離間スペースが形成され、
前記ガイドレールは、前記マガジンと工具本体との間の離間スペースに配置されるように、該マガジンに連結され、
前記送り機構は、前記ガイドレールにスライド可能に連結されると共に、引き部材、プッシャー及びリターンスプリングを含み、該引き部材は、該ガイドレール回りに装着され、パーティション部、枢支部及び収容部を有し、該枢支部は、該パーティション部の前方側にあり、該収容部は、該パーティション部の後方側にあり、該パーティション部とガイドレールとの間に隙間が形成され、該プッシャーは、該枢支部に枢接され、該リターンスプリングは、該引き部材とプッシャーとの間に設置されるように、該プッシャーを該マガジンに向かって付勢し、
前記渦巻バネは、バネ本体とバネ先端とを有し、該バネ本体が前記引き部材の収容部に収容され、かつ前記パーティション部に当接しており、該バネ先端が、該パーティション部と前記ガイドレールとの間の隙間を挿通して、前記ガイドレールに係止されることを特徴とする。
【考案の効果】
【００１０】
上記の技術手段によって、本考案は、以下に示すような優れた点と効果を有する。
【００１１】
その１、引き部材を引いて、ガイドレールに沿ってスライドさせると、渦巻バネにおける引き出される部分が、ガイドレールに沿って密着するように直線状に延伸し、これにより、渦巻バネの、マガジンに収容されているＣ型リングへの接触を防止すると共に、送り機構がガイドレールに沿ってスライドする時の円滑さを向上させ、且つ渦巻バネの損傷を防ぐので、全体的な耐用年数を向上させることができる。
【００１２】
その２、枢支されているプッシャーは、引き部材に対して回転することができ、それに加え、リターンスプリングが、プッシャーの一端をマガジンに向かって押し付けるように付勢することから、送り機構を安定した状態で保持でき、これにより、送り機構をより円滑に引き出すことができると共に、送り機構をＣ型リング列の末端に確実に当接させることができる。
【００１３】
その３、引き部材のパーティション部の設置により、渦巻バネのバネ本体を、引き部材の収容部内に安定して収容することができることから、他の固定部材を利用しなくても、渦巻バネを引き部材内に保持することができるので、渦巻バネの取り付けを容易にすると共に、部品数を削減することができる。
【図面の簡単な説明】
【００１４】
【図１】本考案の好適な実施例の斜視図である。
【図２】本考案の好適な実施例において、Ｃ型リングが装填されている状態を別の角度からみた斜視図である。
【図３】本考案の好適な実施例の分解斜視図である。
【図４】本考案の好適な実施例における一部の構成要素を示す分解図である。
【図５】本考案の好適な実施例の平面図である。
【図６】本考案の好適な実施例における一部の構成要素を示す上面視断面図である。
【図７】本考案の好適な実施例において、引き部材を後ろに引いた操作状態を示す模式図である。
【図８】本考案の好適な実施例において、Ｃ型リング列の末端が送り機構に当接された状態を示す模式図である。
【図９】従来のＣ型リングクリンチャーの平面図である。
【考案を実施するための形態】
【００１５】
図１乃至図５に示すように、本考案に係る打ち込み工具のマガジンにおける止め具送り装置の好適な実施例においては、工具本体１０、マガジン２０、ガイドレール３０、送り機構４０、及び渦巻バネ５０を備える。
【００１６】
Ｃ型リングを収容するマガジン２０は、工具本体１０の片側に配置されるように、工具本体１０に連結され、マガジン２０と工具本体１０との間に離間スペースが形成される。ガイドレール３０は、マガジン２０と工具本体１０との間の離間スペースに配置されるように、マガジン２０に連結される。
【００１７】
図３から図６に示すように、送り機構４０は、ガイドレール３０にスライド可能に連結されると共に、引き部材４１、プッシャー４３及びリターンスプリング４５を含み、引き部材４１は、ガイドレール３０回りに装着されると共に、パーティション部４１１、枢支部４１３及び収容部４１４を有し、枢支部４１３は、パーティション部４１１の前方側にあり、収容部４１４は、パーティション部４１１の後方側にあり、パーティション部４１１とガイドレール３０との間に隙間４１２が形成され、プッシャー４３は、枢支部４１３に枢接され、リターンスプリング４５は、引き部材４１とプッシャーと４３の間に設置されるように、プッシャー４３をマガジン２０に向かって付勢する。
【００１８】
渦巻バネ５０は、バネ本体５１とバネ先端５３とを有し、バネ本体５１が引き部材４１の収容部４１４に収容され、かつパーティション部４１１に当接しており、バネ先端５３が、パーティション部４１１とガイドレール３０との間の隙間４１２を挿通して、ガイドレール３０の前端に係止されるように構成されている。
【００１９】
さらに、工具本体１０の後端にサポートプレート１５が設けられ、サポートプレート１５の後端に係合部１５１が形成され、ガイドレール３０の後端に、後端から前端に向かって直線状に延びる係合溝３２が形成され、サポートプレート１５の係合部１５１が、ガイドレール３０の係合溝３２に嵌め込まれるように、ガイドレール３０に係合されて連結され、また、マガジン２０の後端が、サポートプレート１５に連結される。
【００２０】
さらに、ガイドレール３０は、ガイドレール３０におけるマガジン２０に面する一側において、ガイドレール３０の前端に近い領域に、突き出しているピン３３を有し、渦巻バネ５０は、バネ先端５３に近い領域に連結孔５２が形成され、連結孔５２がガイドレール３０のピン３３に掛合されるように構成される。
【００２１】
尚、引き部材４１の上下両側にそれぞれ、摘み部４１５が突出するように形成されることが好ましい。
【００２２】
図５乃至図８に示すように、渦巻バネ５０のバネ本体５１は、引き部材４１の収容部４１４内に収容されており、且つ渦巻バネ５０のバネ先端５３が、引き部材４１のパーティション部４１１とガイドレール３０との間の隙間４１２から挿通して、ガイドレール３０に係合されることにより、引き部材４１を後ろに引き、渦巻バネ５０のバネ先端５３がバネ本体５１から遠ざかると、渦巻バネ５０における引き出される部分が、ガイドレール３０に沿って密着するように延在する。
【００２３】
引き部材４１を後ろに引く過程中、枢支されているプッシャー４３が引き部材４１に対して回動自在となっており、それに加え、リターンスプリング４５からの付勢力により、プッシャー４３の一端が、マガジン２０に向かって当接され、これにより、送り機構４０が安定した状態で、ガイドレール３０に沿って円滑に引き出されるので、プッシャー４３がＣ型リングに接触して引っかかるといったトラブルを解消でき、さらに、送り機構４０をＣ型リング列の末端までに引くと、送り機構４０をＣ型リング列の末端に確実に当接することができる。
【００２４】
前述した技術特徴によれば、本考案に係る打ち込み工具のマガジンにおける止め具送り装置は、以下に示すような優れた点と効果を有する。
【００２５】
その１、渦巻バネ５０における引き出される部分が、ガイドレール３０に密着するように直線状に延伸し、これにより、渦巻バネ５０の、マガジン２０に収容されているＣ型リングへの接触を防止すると共に、送り機構４０がガイドレール３０に沿ってスライドする時の円滑さを向上させ、且つ渦巻バネ５０の損傷を防ぐので、全体的な耐用年数を向上させることができる。
【００２６】
その２、プッシャー４３は、引き部材４１に対して回転することができ、それに加え、リターンスプリング４５が、プッシャー４３の一端をマガジン２０に向かって押し付けるように付勢することから、送り機構４０を安定した状態で保持でき、これにより、送り機構４０をより円滑に引き出すことができると共に、送り機構４０をＣ型リング列の末端に確実に当接させることができる。
【００２７】
その３、引き部材４１のパーティション部４１１の設置により、渦巻バネ５０のバネ本体５１を、引き部材４１の収容部４１４内に安定して収容することができることから、他の固定部材を利用しなくても、渦巻バネ５０を引き部材４１内に保持することができるので、渦巻バネ５０の取り付けを容易にすると共に、部品数を削減することができる。
【００２８】
その４、さらに、ガイドレール３０の後端とサポートプレート１５とは、係合により連結されているので、ネジなどの締結部材を使って締結する作業が不要であり、その分、組立の手間を省いたり、部品数を削減できるので、低コスト化を図れる。
【符号の説明】
【００２９】
１０   工具本体
１５   サポートプレート
１５１ 係合部
２０   マガジン
３０   ガイドレール
３２   係合溝
３３   ピン
４０   送り機構
４１   引き部材
４１１ パーティション部
４１２ 隙間
４１３ 枢支部
４１４ 収容部
４１５ 摘み部
４３   プッシャー
４５   リターンスプリング
５０   渦巻バネ
５１   バネ本体
５２   連結孔
５３   バネ先端
９１   工具本体
９１１ サイドプレート
９１２ ガイドレール
９２   マガジン
９３   渦巻バネ
９３１ バネ本体
９３２ バネ先端
９４   Ｃリング送り部材
【図１】
0003233613.tif 000003
【図２】
0003233613.tif 000004
【図３】
0003233613.tif 000005
【図４】
0003233613.tif 000006
【図５】
0003233613.tif 000007
【図６】
0003233613.tif 000008
【図７】
0003233613.tif 000009
【図８】
0003233613.tif 000010
【図９】
0003233613.tif 000011